Podtech/llm-jp-corpus-v4-ja_patent huggingface dataset:
(57)【要約】【課題】電子楽器の楽器音を、防音しながら、臨場感を損なうことなく集音装置で集音・録音することを可能にする。【解決手段】防音素材２による箱を形成し、その内部に電子楽器の外部スピーカー４と集音装置５を格納する。外部スピーカーや集音装置のオーディオケーブル６・電源ケーブル７を本装置内外で中継するための中継装置１を箱の一面にとりつけ、それにより密閉された箱内での楽器音の発音・録音を可能にする。【選択図】          図１
2004309752.tif 000002
【特許請求の範囲】
【請求項１】
電子楽器の外部スピーカー装置の防音器具であって、内外のオーディオケーブル・電源ケーブルの中継装置と、防音効果を有する素材による箱で形成されており、電子楽器の外部スピーカー装置、およびスピーカー装置から発音される音を集音するための集音装置を格納できる空間を備えた密閉可能な箱状の防音器具である。
【発明の詳細な説明】
【０００１】
【発明の属する技術分野】
本発明は、電子楽器の外部スピーカー装置の防音器具に関する。
【０００２】
【従来の技術】
電子楽器は、電子的に作成された音情報を、外部スピーカー装置により発音することにより音を発生する装置である。その音を、臨場感や「空気感」（マイクロフォンやスピーカー装置を介することによるノイズ）を備えた状態で、かつ、音量を抑えながら録音するためには、従来は「マイク・シミュレーター」や「アンプ・シミュレーター」といった、楽器音を電子的にマイクロフォンやアンプ装置を通したかのように加工をする装置があった。
【０００３】
【発明が解決しようとする課題】
本発明が解決しようとする課題は、電子楽器の楽器音を、電子楽器の外部スピーカー装置から出し、マイクロフォンなどの集音装置で集音しようとする際に、電子的な擬似手段によらなければ、防音を可能にできない点である。
【０００４】
【課題を解決するための手段】
本発明は、防音しながら電子楽器の外部スピーカーより実際に音を出し、録音・集音できるようにするため、電子楽器の外部スピーカーと、マイクロフォンなどの集音装置を、防音効果のある素材でできた箱に格納可能にし、本装置を密閉できるようにするため、電子楽器の電気信号を本装置内の外部スピーカーに伝えるオーディオケーブル、本装置内の集音装置からの電気信号を外部録音装置等に伝えるオーディオケーブル、および、本装置内の外部スピーカーやマイクロフォンを稼動させるための電源ケーブルを、箱の内部と外部で中継させる中継装置を備えることを特徴とする。
【０００５】
【発明の実施の形態】
図１に示すように、電子楽器の外部スピーカー４と、マイクロフォンなどの集音装置５を本装置内に格納するために、防音素材２による箱を形成する。また、電子楽器の電気信号を本装置内の外部スピーカー４に伝えるオーディオケーブル６、本装置内の集音装置５からの電気信号を外部録音装置等に伝えるオーディオケーブル６、本装置内の外部スピーカーやマイクロフォンを稼動させるための電源ケーブル７の中継装置１を備える。このことにより、密閉された箱内で電子楽器の外部スピーカーを鳴らし、集音装置で録音することを可能にし、電子楽器の楽器音を、防音しながら臨場感を損なわずに録音可能にすることを実現した。
【０００６】
【実施例】
図１は本発明装置の横断面図である。本図で示される実施例では、本発明装置３の内部に電子楽器の外部スピーカー装置４、集音装置５を格納し、外部スピーカー装置と集音装置のオーディオケーブル６と、電子楽器の外部スピーカー装置の電源ケーブル７を、電源・オーディオケーブル中継装置１により、外部の電子楽器や電源と中継している。
【０００７】
【発明の効果】
以上説明したように、本発明の電子楽器の外部スピーカー装置の防音・録音補助器具は、電子楽器の楽器音を臨場感を損なわずに防音しながら録音・集音することを可能にする効果を有する。また、この方法は、従来の電子的な音加工方式に比して、安価な装置でより生の音に近い楽器音が得られるという効果もある。
【図面の簡単な説明】
【図１】本発明装置の横断面図である。
【図２】本発明装置の斜視図である。
１  電源・オーディオケーブル中継装置
２  防音素材
３  本発明装置
４  電子楽器の外部スピーカー
５  集音装置
６  オーディオケーブル
７  電源ケーブル
【図１】
2004309752.tif 000003
【図２】
2004309752.tif 000004
(57)【要約】【課題】試料を松脂等でホルダーにつける場合、その煙が試料を汚染する問題があった。又、測定終了後、松脂や接着剤を取り除くのに、アセトン等の溶剤を用いるが、試料を破壊するおそれと、試料表面付近のナノ構造を等を破壊する可能性があった。【解決手段】試料ホルダーに真空排気用の通路を設け、その通路の片方の出口を試料ホルダーの試料取り付け面に開口し、他方の出口を真空封止弁に結合し、この弁を着脱自在なチューブを介して真空ポンプに結合し、試料を乗せるＯリングを試料ホルダー表面に配置したＸ線実験用試料ホルダーであって、Ｏリング上に試料を乗せてから真空ポンプを始動し、所定の時間経過後に真空封止弁を閉じて真空ポンプを停止し、着脱自在なチューブを真空封止弁から取り外した後Ｘ線照射装置に取り付ける。【選択図】  図１
2004309371.tif 000002
【特許請求の範囲】
【請求項１】
試料ホルダーに真空排気用の通路を設け、その通路の片方の出口を試料ホルダーの試料取り付け面に開口し、他方の出口を真空封止弁に結合し、この弁を着脱自在なチューブを介して真空ポンプに結合し、試料を乗せるＯリングを試料ホルダー表面に配置したＸ線実験用試料ホルダーであって、Ｏリング上に試料を乗せてから真空ポンプを始動し、所定の時間経過後に真空封止弁を閉じて真空ポンプを停止し、着脱自在なチューブを真空封止弁から取り外した後Ｘ線照射装置に取り付ける、上記装置。
【発明の詳細な説明】
【０００１】
【発明の属する技術分野】
本発明は、接着剤等を用いず、又Ｘ線測定中、電気や磁石を使用せず、安定して試料をホールドできる装置に関するものである。
【０００２】
【従来の技術】
従来、試料を試料ホルダーに取り付ける方法は、松脂等を高温にして溶かすか、接着剤や両面テープ等で固定するものが一般的である。
【０００３】
【発明が解決しようとする課題】
試料を松脂等でホルダーにつける場合、その煙が試料を汚染する問題があった。又、測定終了後、松脂や接着剤を取り除くのに、アセトン等の溶剤を用いるが、試料を破壊するおそれと、試料表面付近のナノ構造を等を破壊する可能性があった。および、本発明は、１個の試料ホルダーで大きさの異なる試料に適宜対応できるものである。
【０００４】
【課題を解決するための手段】
本発明は、試料の取り付け及び取り外しに試料を破壊しない、且つ汚染しないことを第１の課題にしたものである。第２の課題としては、測定中、試料に振動を与えたり、磁場等を与えないことを条件とするものである。第３の課題としては、例えば、試料を吸引保持するためのＯリングの直径を変えることで、任意の大きさの試料に対応することができるので、１個の試料ホルダーで大きさの異なる試料に適宜使用できるものである。
【０００５】
【発明の実施の形態】
本発明においては、図１に示されるように、試料ホルダー１には真空排気用の通路がその内部にある。その通路の片方の出口は、試料ホルダーの試料取り付け側の面につながり、他方の出口は真空対応コネクター４につながっている。試料ホルダー１にＯリング２を乗せ、真空対応コネクター４、チューブ５、真空封止弁６、チューブ７及び真空ポンプ８を接続する。試料３を試料ホルダー１にＯリングを介して乗せる。
【０００６】
真空ポンプ８を始動し、所定の時間（多くは、１分間の排気で十分）経過後に、真空封止弁６を閉じ、次に真空ポンプ８を停止し、着脱自在なチューブ７を真空封止弁６から取り外した後、回折計等のＸ線照射装置に試料ホルダーを取り付ける。この後、試料３が真空吸引されて張り付いている試料ホルダーは、これを逆さまにしてもその試料は張り付いている。
【０００７】
【実施例】
以下、本発明の実施例を説明すると、本発明の試料ホルダーを使用した場合、排気速度２．１ｍ３／ｈの真空ポンプを使用して１分間排気した後、真空封止弁を閉じ、８時間以上逆さの状態で放置しても試料が張り付いていることを確認した。この８時間は通常の測定時間よりも十分長く、実用に耐え得る時間であった。
【図面の簡単な説明】
【図１】本発明のＸ線実験用試料ホルダーを示す図である。
【図１】
2004309371.tif 000003
(57)【要約】【課題】本発明は、非磁材で一部を形成することにより、磁気センサの出力への外乱磁束の影響をなくすことを目的とする。【解決手段】本発明による検出歯車は、歯車（１）が回転軸（３）側の小径体（４）と、この小径体（４）より大径の歯車体（５）とからなり、この小径体（４）は非磁性材よりなる構成である。【選択図】        図１
2004309304.tif 000002
【特許請求の範囲】
【請求項１】
回転軸（３）に設けられた歯車（１）を磁気センサ（２）の近傍に位置させて磁気検出を行うようにした検出歯車において、
前記歯車（１）は、前記回転軸（３）側の小径体（４）と、前記小径体（４）より大径の歯車体（５）とからなり、前記小径体（４）は非磁性材よりなり、前記歯車体（５）は磁性材よりなることを特徴とする検出歯車。
【発明の詳細な説明】
【０００１】
【発明の属する技術分野】
本発明は、検出歯車に関し、特に、歯車を非磁性材の小径体と磁性材の歯車体の二体とし、磁気センサで検出される信号成分に与える磁気的影響を低減させるための新規な改良に関する。
【０００２】
【従来の技術】
従来、用いられていたこの種の検出歯車としては、社内製品のため、特許文献等は特に開示していないが、回転軸には磁性材からなる歯車が設けられている。
【０００３】
【発明が解決しようとする課題】
従来の検出歯車は、以上のように構成されていたため、次のような課題が存在していた。
すなわち、図２のように、歯車１の外周の近傍位置に磁気センサ２を配設して歯車１の回転による磁気変化を磁気センサ２で検出する際に、歯車１全体が磁性材料で形成されているため、図２の実線で示す状態で外乱磁束が発生して磁気センサを通過し、磁気センサ２の形成信号に悪影響を与えることになっていた。
【０００４】
本発明は、以上のような課題を解決するためになされたもので、特に、歯車を非磁性材の小径体と磁性材の歯車体の二体とし、磁気センサで検出される信号成分に与える磁気的影響を低減させるようにした検出歯車を提供することを目的とする。
【０００５】
【課題を解決するための手段】
本発明による検出歯車は、回転軸に設けられた歯車を磁気センサの近傍に位置させて磁気検出を行うようにした検出歯車において、前記歯車は、前記回転軸側の小径体と、前記小径体より大径の歯車体とからなり、前記小径体は非磁性材よりなり、前記歯車体は磁性材よりなる構成である。
【０００６】
【発明の実施の形態】
以下、図面と共に本発明による検出歯車の好適な実施の形態について説明する。
図１において符号１で示されるものは歯車であり、この歯車１は回転軸３に直接固定され非磁性材で形成された小径体４と、この小径体４の周面に設けられ磁性材で形成された歯車体５とによって構成されている。
従って、前記小径体４は回転軸３側に設けられていると共に、歯車体５よりも小径に形成されている。
【０００７】
前述の図１で示した二体構造の歯車１は、図２のように用いられ、歯車１の外周の近傍位置には磁気センサ２が配設されている。
従って、回転軸３を通る外乱磁束Ｇは、歯車１の非磁性材からなる小径体４の存在によって減少し（すなわち、この小径体４の磁気抵抗による）、点線で示されるように外乱磁束Ｇが歯車１外に行き、磁気センサ２を通らないため、磁気センサ２で検出される信号成分に与える影響を低減させることができる。
【０００８】
【発明の効果】
本発明による検出歯車は、以上のように構成されているため、次のような効果を得ることができる。
すなわち、歯車を小径体と大径の歯車体の二体とし、小径体を非磁性材で形成しているため、外乱磁束に対する磁気抵抗が大きくなり、外乱磁束の磁気センサの出力信号への影響を防止し、磁気センサの出力の安定化を得ることができる。
【図面の簡単な説明】
【図１】本発明による歯車を示す構成図である。
【図２】本発明と従来の外乱磁束の流れ状態を示す説明図である。
【符号の説明】
１    歯車
２    磁気センサ
３    回転軸
４    小径体
５    歯車体
【図１】
2004309304.tif 000003
【図２】
2004309304.tif 000004
(57)【要約】      （修正有）【課題】美しい印刷絵柄の恩恵を受けられない目の不自由な人、特に子供の触感を補佐するポチ袋やラベル、絵本等の紙製品を提供する。【解決手段】印刷絵柄に合わせた凹版と凸版の間に印刷紙を挟んで加圧し、突出した点線１や鎖線２の絵柄を得ることによって、目の不自由な人、特に子供に絵柄を感知し易いものとする。【選択図】図１
2004309994.tif 000002
【特許請求の範囲】
【請求項１】
突出した点線（１）と鎖線の絵柄（２）と文字を有する印刷紙製品。
【発明の詳細な説明】
【０００１】
〔発明の属する技術分野〕
本発明は目の不自由な人、特に子供に関するものである。
【０００２】
〔従来の技術分野〕
ポチ袋の絵柄や文字を金色のアルミ箔を施し、押し出したものがある。
【０００３】
〔発明が解決しようとする課題〕
従来の紙製品は、目の不自由な子供を対象にしたものではなく、視覚に訴える絵柄の立体感を目指したものであって、指先の感触が充分得られない。
本発明は、強い感触を指先に与えて、絵柄を感知出来ることが出来るポチ袋や絵本等の紙製品を提供しようとするものである。
【０００４】
〔課題を解決するための手段〕
指先に強い感触を与えるため、印刷絵柄や文字に突出した点線と鎖線を施した。
【０００５】
〔発明実施の形態〕
印刷絵柄や文字に合わせた、凹版と凸版の間に印刷紙を挟んで加圧することによって、点線（１）や鎖線（２）の突出を得る。
【０００６】
〔実施例〕
熊の子供が大きな風船の上に乗って空を飛んでいる絵柄で、ポチ袋を試作した。
熊の子供の絵柄を点線（１）で風船の絵柄を鎖線（２）で突出させた。
【０００７】
〔発明の効果〕
目の不自由な子供に渡し絵柄の説明をした所、指先でなぞりながら、よく感知して喜んでくれました。
【図面の簡単な説明】
【図１】本発明のポチ袋表面の展開図
【図２】突出した点線の断面図
【図３】突出した鎖線の断面図
【図１】
2004309994.tif 000003
【図２】
2004309994.tif 000004
【図３】
2004309994.tif 000005
【手続補正書】
【提出日】平成15年4月30日(2003.4.30)
【手続補正１】
【補正対象書類名】明細書
【補正対象項目名】全文
【補正方法】変更
【補正の内容】
【特許請求の範囲】
【請求項１】突出した点線（１）と鎖線（２）の絵柄を有する印刷紙製品。
【発明の詳細な説明】
【０００１】
〔発明の属する技術分野〕
本発明は目の不自由な人、特に子供に関するものである。
【０００２】
〔従来の技術分野〕
ポチ袋の絵柄や文字を金色のアルミ箔を施し、押し出したものがある。
【０００３】
〔発明が解決しようとする課題〕
従来の紙製品は、目の不自由な子供を対象にしたものではなく、視覚に訴える絵柄の立体感を目指したものであって、指先の感触が充分得られない。
本発明は、強い感触を指先に与えて、絵柄を感知出来るポチ袋やラベル、絵本等の紙製品を提供しようとするものである。
【０００４】
〔課題を解決するための手段〕
指先に強い感触を与えるため、印刷絵柄に突出した点線と鎖線を施した。
【０００５】
〔発明実施の形態〕
印刷絵柄に合わせた、凹版と凸版の間に印刷紙を挟んで加圧することによって、点線（１）や鎖線（２）で絵柄の突出を得る。
【０００６】
〔実施例〕
熊の子供が大きな風船の上に乗って空を飛んでいる絵柄で、ポチ袋を試作した。
熊の子供の絵柄を点線（１）で風船の絵柄を鎖線（２）で突出させた。
【０００７】
〔発明の効果〕
目の不自由な子供に渡し絵柄の説明をした所、指先でなぞりながら、よく感知して喜んでくれました。
【図面の簡単な説明】
【図  １】本発明のポチ袋表面の展開図
【図  ２】突出した点線の断面図
【図  ３】突出した鎖線の断面図




【手続補正書】
【提出日】平成15年6月24日(2003.6.24)
【手続補正１】
【補正対象書類名】明細書
【補正対象項目名】特許請求の範囲  〔請求項１］
【補正方法】変更
【補正の内容】
【特許請求の範囲】
【請求項１】
点を同じ形状若しくは異なる形状で絵柄別に突出させた点線（１）と鎖線（２）の絵柄を有する印刷紙製品。
【手続補正２】
【補正対象書類名】明細書
【補正対象項目名】発明の詳細な説明  ＜０００４＞  追加題
【補正方法】追加
【補正の内容】
【発明の詳細な説明】
【０００４】
〔課題を解決するための手段〕
点線（１）の点と鎖線（２）の点の突出を、○．△．□．×等の異なる形状にして使い分けると、一枚の紙に印刷している複数の絵柄を識別して感知し易く出来る。




【手続補正書】
【提出日】平成15年7月22日(2003.7.22)
【手続補正１】
【補正対象書類名】明細書
【補正対象項目名】特許請求の範囲
【補正方法】変更
【補正の内容】
【特許請求の範囲】
【請求項１】
点を同じ形状若しくは異なる形状で絵柄別に突出させた点線（１）と鎖線（２）の絵柄を有する印刷紙製品及び印刷プラスチック製品。
【手続補正２】
【補正対象書類名】明細書
【補正対象項目名】０００４
【補正方法】変更
【補正の内容】
【０００４】
〔課題を解決するための手段〕
点線（１）の点と鎖線（２）の点の突出を、○．△．□．×等の異なる形状にして使い分けると、紙やプラスチック製シートなどに印刷している複数の絵柄を識別して感知し易く出来る。
(57)【要約】【課題】眼に優しい眼鏡レンズ及びそれを装備した眼鏡を提供する事。【解決手段】可視光域に於いて；（ａ）波長の変化による屈折率の変化が０．０５以内で（ｂ）アッベ数が６１以上で（ｃ）表面反射防止剤塗布前の視感透過率が９３％以上であってその組成が、９９．８〜１００重量％のＳｉＯ２と、０〜０．２重量％のＡｌ２Ｏ３とからなり、且つ、遠赤外線放射率が９５％以上である事を特徴とする、人工水晶レンズ及び該レンズを装備した眼に優しい眼鏡を採用した。【選択図】なし【特許請求の範囲】
【請求項１】
眼鏡用のレンズであって、可視光域に於いて；
（ａ）波長の変化による屈折率の変化が０．０５以内で
（ｂ）アッベ数が６１以上で
（ｃ）表面反射防止剤塗布前の視感透過率が９３％以上であって
その組成が、９９．８〜１００重量％のＳｉＯ２と、０〜０．２重量％のＡｌ２Ｏ３とからなり、且つ、遠赤外線放射率が９５％以上である事を特徴とする、人工水晶よりなる目に優しい眼鏡用レンズ。
【請求項２】
前記請求項１記載の眼鏡用レンズを装備した事を特徴とする眼に優しい眼鏡。
【発明の詳細な説明】
【０００１】
【発明の属する技術分野】
本発明は、人工水晶を使用した眼に優しい眼鏡用レンズ及び目に優しい眼鏡に関するものである。
【０００２】
【従来の技術】
従来より、眼鏡用レンズとしては、殆どがその加工のし易さから樹脂製のレンズが使用されて来ている。又少数では有るが光学ガラスレンズも使用されてはいる。
【０００３】
【発明が解決しようとする課題】
しかしながら、上記樹脂製のレンズは、（イ）表面が柔らかいので傷つき易く、その為に表裏面にハードコーティングをしなければならず、レンズ表裏面に二重像が写り込み長時間使用すると眼が疲れてくる。（ロ）光透過率も良くなく、眼の疲労度が高まる事となる。（ハ）静電気の発生によりレンズ表裏面に埃が付き易く、又その静電気が眼に悪影響を与える。（ニ）曇り易く、曇った状態が長く続くので、車の運転中など危険な場合が生じている。又、光学ガラスレンズに於いては、ＳｉＯ２の含有割合が２０％〜３５％前後で、多種類の添加物を加えなければならずその製造工程が複雑にならざるを得なかった。
【０００４】
【課題を解決するための手段】
そこで本発明に於いては上記課題を解決する為に、可視光域に於いて；
（ａ）波長の変化による屈折率の変化が０．０５以内で
（ｂ）アッベ数が６１以上で
（ｃ）表面反射防止剤塗布前の視感透過率が９３％以上であって
その組成が、９９．８〜１００重量％のＳｉＯ２と、０〜０．２重量％のＡｌ２Ｏ３とからなり、且つ、遠赤外線放射率が９５％以上である事を特徴とする、人工水晶よりなる目に優しい眼鏡用レンズ及び眼に優しい眼鏡を提供する。
【０００５】
【発明の実施の形態】
図１は、本発明の人工水晶レンズを可視光域（４００ｎｍ〜７００ｎｍ）の範囲で屈折率の変化を測定したグラフであり、縦軸（ｙ）は屈折率を表し、横軸（ｘ）は波長を表している。可視光域（４００  ｎｍ〜７００  ｎｍ）での屈折率が４００ｎｍに於いては、１．５９０で、７００ｎｍに於いては、１．５４０で、その間の波長の変化による屈折率の変化は０．０５以内で安定しており眼を疲れさせない。
【０００６】
更に図１に於いて、ｄ＝５８７ｎｍでの屈折率ｎｄ＝１．５５２で、ｆ＝４８６ｎｍでの屈折率ｎｆ＝１．５５９で、ｃ＝６５６ｎｍに対する屈折率ｎｃ＝１．５５０であり、アッベ数は６１．３の高アッベ数を提示する。この事は特に、像欠陥を取り除く事や、色収差をなくし目を疲れさせないことになる。
【０００７】
次ぎに、図２は、慣例の表面反射防止剤を塗布する前の透過率を表しており、可視光域では９３％以上である。これに慣例の表面反射防止剤を塗布した後の視感透過率は９８％を超える。
【０００８】
又、表１は、本願発明の人工水晶レンズとガラスレンズ、及びプラスチックレンズの遠赤外線反射率と電磁波シールド性を比較した表である。周知の様に遠赤外線には眼の疲れ、肩こり、自律神経を穏やかにする効果があるといわれており、眼の周りの血行を良くし眼の疲れを取ると言う眼にも優しい効果が得られる。反面、ガラス及びプラスチックの場合にはそのような効果は認められない。又、最近のパソコンや電子機器が発する電磁波に対してもシールド性が若干有り眼の保護に役に立つ。又静電気の発生も無く、曇り難いという効果も有る。
【０００９】
【表１】
2004309993.tif 000002
【００１０】
更に、表面硬度も７と非常に硬く傷が付き難く、したがってハードコートの必要が無く二重像の写り込みも無い。
【００１１】
又、製造方法に於いては、従前の水晶単結晶方法で良いが、原材料となる天然の水晶に特に純度の高いロシアのウクライナ産ものを厳選して作る事により本願発明の人工水晶レンズが可能となった。
【００１２】
【発明の効果】
以上の様に、本発明の人工水晶レンズにより、光透過率の良い、且つ高アッベ数を有し、静電気の発生も無く、遠赤外線放射率の良い、長時間の使用でも眼の疲れない且つ眼の周りの血行を良くし眼の疲れを癒す眼に優しい、傷の付き難い眼鏡レンズ及び該レンズを装備した眼に優しい眼鏡の提供が可能になった。
【図面の簡単な説明】
【図１】本発明の人工水晶レンズの可視光域での屈折率の変化グラフ
【図２】本発明の人工水晶レンズの透過率のグラフ
【図１】
2004309993.tif 000003
【図２】
2004309993.tif 000004
(57)【要約】【課題】墨出し器等に使用するレーザー光放射装置を提供する。【解決手段】レーザー発生装置１より出力されるレーザー光を平行光線にするコリメータレンズ２と、該コリメータレンズ２を透過した平行光線の下半分を受光するとともに該光線を扇状に拡散させる第１ロッドレンズ３と、該第１ロッドレンズ３と直交する位置に配置されているとともに前記コリメータレンズ２を透過した平行光線の上半分を受光し、且つ該光線を扇状に拡散させる第２ロッドレンズ４とより構成されている。【選択図】    図１
2004309909.tif 000002
【特許請求の範囲】
【請求項１】
レーザー発生装置より出力されるレーザー光を平行光線にするコリメータレンズと、該コリメータレンズを透過した平行光線の下半分を受光するとともに該光線を扇状に拡散させる第１ロッドレンズと、該第１ロッドレンズと直交する位置に配置されているとともに前記コリメータレンズを透過した平行光線の上半分を受光し、且つ該光線を扇状に拡散させる第２ロッドレンズとより成るレーザー光放射装置。
【請求項２】
第１ロッドレンズにて扇状に拡散された光を水平方向を示す光線として使用するとともに第２ロッドレンズにて扇状に拡散された光を垂直方向を示す光線として使用するようにしたことを特徴とする請求項１に記載のレーザー光放射装置。
【発明の詳細な説明】
【０００１】
【発明の属する技術分野】
本発明は、部屋のレイアウトや間仕切り等を行う場合に使用される墨出し器等に組み込まれるレーザー光放射装置に関するものである。
【０００２】
【従来の技術】
レーザー光線は、エネルギー密度が高く広がり幅が狭いという特性を有しているため、墨出し器と呼ばれる装置に多く使用されている。墨出し器は、携帯して使用されるため、レーザー光を発生させる素子としてレーザーダイオードが使用されている。レーザーダイオードより照射されるレーザー光は、コリメータレンズによって平行光線に変更された後にロッドレンズによって扇状に拡散され、墨出し器として必要な線状光に投影されるように構成されている（例えば、特許文献１参照。）。
【０００３】
【特許文献１】
特開平８−２７１２５４号公報
【０００４】
【発明が解決しようとする課題】
墨出し器は、ロッドレンズによって扇状に拡散されたレーザー光を水平方向や垂直方向の基準線として利用しているが、水平方向と垂直方向の基準線を同時に得るためには、ロッドレンズ、レーザーダイオード及びコリメーターレンズを水平方向用及び垂直方向用として別々に設ける必要があるので、構成が複雑になるとともに高価になるという問題がある。
【０００５】
本発明は、斯かる問題を解決することが出来るレーザー光放射装置を提供しようとするものである。
【０００６】
【課題を解決するための手段】
本発明は、レーザー発生装置より出力されるレーザー光を平行光線にするコリメータレンズと、該コリメータレンズを透過した平行光線の上半分を受光するとともに該光線を扇状に拡散させる第１ロッドレンズと、該第１ロッドレンズと直交する位置に配置されているとともに前記コリメータレンズを透過した平行光線の下半分を受光し、且つ該光線を扇状に拡散させる第２ロッドレンズとより構成されている。
【０００７】
【実施例】
図１は本発明のレーザー光放射装置を説明するための概略斜視図、図２は側面図、図３は正面図である。図１において、１はレーザー光を発光するレーザーダイオードが組み込まれているレーザー発生装置であり、図示したようにレーザー光Ｌ０を放射するように構成されている。２は前記レーザー発生装置１より放射されたレーザー光Ｌ０を平行光線であるレーザー光Ｌ１にするコリメータレンズである。
【０００８】
３は前記コリメータレンズ２を通過した平行光線であるレーザー光Ｌ１の下半分の光を受光するべく配置されている第１ロッドレンズであり、受光したレーザー光を水平方向に扇状に拡散させて輝線Ａを生成する作用を有している。４は前記コリメータレンズ２を通過した平行光線であるレーザー光Ｌ１の上半分の光を受光するべく配置されているとともに前記第１ロッドレンズと直交するように配置される第２ロッドレンズであり、受光したレーザー光を前記輝線Ａに対して直角方向に扇状に拡散させて輝線Ｂを生成する作用を有している
斯かる構成によれば、レーザー装置１より放射されるレーザー光Ｌ０は、コリメータレンズ２によって平行光線Ｌ１にされた後第１ロッドレンズ３及び第２ロッドレンズ４に照射される。第１ロッドレンズ３に照射されたレーザー光Ｌ１は、該第１ロッドレンズ３によって扇状に拡散されて輝線Ａを生成する。また、同様に第２ロッドレンズ４に照射されたレーザー光Ｌ１は、該第２ロッドレンズ４によって扇状に拡散されて輝線Ｂを生成する。
【０００９】
前述したようにレーザー装置１から放射されたレーザー光Ｌ０は、第１ロッドレンズ３及び第２ロッドレンズ４によって輝線Ａ及びＢとして照射されるので、斯かる装置を墨出し器の装置内に組み込んで壁等に投射すれば、基準線として利用することが出来る。そして、輝線Ａと輝線Ｂとが直交するように第１ロッドレンズ３及び第２ロッドレンズ４を配置させ、輝線Ｂを垂直になるように調整すれば、輝線Ａは水平となる。従って、１つのレーザー装置１より放射されるレーザー光から垂直及び水平の２つの基準となる輝線を生成させることが出来るので、墨出し器として使用する場合に非常に便利なものとなる。
【００１０】
また、輝線Ａと輝線Ｂとが交わる点Ｃを位置決めのマークとして使用可能であり、この交点Ｃは２つのレーザー光にて投射されるのでその部分の明度がその他の輝線の部分の明度より高くなるので、マークの位置を容易に認識することが出来る。
【００１１】
尚、第２ロッドレンズの径をレーザー光Ｌ１の上半分の投射範囲内に配置することが出来る径にすれば拡散範囲を広げることが出来る。
【００１２】
【発明の効果】
本発明は、レーザー発生装置より出力されるレーザー光を平行光線にするコリメータレンズと、該コリメータレンズを透過した平行光線の下半分を受光するとともに該光線を扇状に拡散させる第１ロッドレンズと、該第１ロッドレンズと直交する位置に配置されているとともに前記コリメータレンズを透過した平行光線の上半分を受光し、且つ該光線を扇状に拡散させる第２ロッドレンズとを設けたので、１つのレーザー装置より放射されるレーザー光によって２つの輝線を生成させることが出来る。
【００１３】
また、本発明は、第１ロッドレンズにて扇状に拡散された光を水平方向を示す光線として使用するとともに第２ロッドレンズにて扇状に拡散された光を垂直方向を示す光線として使用するようにしたので、垂直方向と水平方向の基準線を同時に得ることが出来、墨出し器に組み込んだ場合に大きな効果を奏するものである。
【図面の簡単な説明】
【図１】本発明のレーザー光放射装置を説明するための概略斜視図である。
【図２】本発明のレーザー光放射装置を説明するための側面図である。
【図３】本発明のレーザー光放射装置を説明するための正面図である。
【符号の説明】
１        レーザー発生装置
２        コリメータレンズ
３        第１ロッドレンズ
４        第２ロッドレンズ
【図１】
2004309909.tif 000003
【図２】
2004309909.tif 000004
【図３】
2004309909.tif 000005
(57)【要約】      （修正有）【課題】窓辺やベランダなどで屈折望遠鏡に代表する、直視型の光学系を用いて天体観測を行う際に、高価な短焦点の望遠鏡を要せずに、観察者の居場所を確保するとともにより広い視界を提供する。【解決手段】パンタグラフ形式のリンクモーションを有した脚を、窓枠やベランダの手摺に取り付け、天体望遠鏡を架台ごと上下動させ、更に手摺の外側に振り出すように動かす事により、観察者の居場所を作り出しつつより広い視界を確保する機構とする。【選択図】    図１
2004309989.tif 000002
【特許請求の範囲】
【請求項１】
パンタグラフ形式のリンクモーションを有した昇降脚を、窓枠やベランダの手摺に取り付け、天体望遠鏡を架台ごと上下動させ、更に手摺の外側に振り出すように動かす発明
【発明の詳細な説明】
【０００１】
【発明の属する技術分野】
この発明は窓辺やベランダなどで屈折望遠鏡に代表する、直視型の光学系を用いて天体観測を行う際に、観察者の居場所を確保するとともにより広い視界を提供する物である
【０００２】
【従来の技術】
高価なレンズを使用した焦点距離の短い望遠鏡を使用して対策としていた。庇で制限された視界においては妥協していた。
【０００３】
【発明の解決しようとする課題】
窓辺やベランダなどで屈折望遠鏡に代表する、直視型の光学系を用いて天体観測を行う際に、高価な短焦点の望遠鏡を要せずに、観察者の居場所を確保するとともにより広い視界を提供する。
【０００４】
【課題を解決するための手段】
【図１、２】に示す、パンタグラフ形式のリンクモーションを有した脚を、窓枠やベランダの手摺に取り付け、天体望遠鏡を架台ごと手摺の外側に振り出すように動かし、更に手摺或いは窓枠と、鏡筒が干渉しないように上下動させる。この動きは副次的に望遠鏡の接眼部を観察者の観察しやすい位置に移動できる機能をもたらす。また本図には振り出し方向にリンクモーションを示していないために経緯儀に適合するが、振り出し方向にリンクモーション（ワイヤード、ギヤード等通常の機構を含む）を組み込めば赤道儀を搭載することも可能である。また上下、旋回稼動部に固定機構を描いていないが当然、通常の機構の物が必要である。
【０００５】
【発明の実施の形態】
使用に際しては、観測者は本発明の脚に搭載した天体望遠鏡を窓枠或いはベランダの手摺に設置、窓の内側或いはベランダの手摺の内側から天体観測を行う。
【０００６】
【発明の効果】
このように作成された脚を使用すれば望遠鏡が窓或いはベランダの手摺の外側に設置されるためベランダの内側は観察者のため場所になり、さらに望遠鏡の大部分が窓或いはベランダの手摺の外に置かれるので庇による視界の制限も改善される。
【図面の簡単な説明】
【図１】本発明の側面図である。
【図２】本発明の上面図である。
【図１】
2004309989.tif 000003
【図２】
2004309989.tif 000004
(57)【要約】【目的】より安価な把手構造を実現することができる雲台装置を提供すること。【構成】ヘッドとカメラハウジング１１とが分離可能な雲台装置において、ヘッド部とカメラハウジング１１部を連結するハウジングマウント（マウント部材）１９に把手１９ａを設ける。ここで、把手１９ａは、ハウジングマウント１９に一体に形成されている。本発明によれば、カメラハウジング１１の自重を支えることができるハウジングマウント１９に把手１９ａを一体に形成したため、把手１９ａ周りの構造を簡単にするだけではなく、補強部材の他に把手も不要となり、より安価な構造を実現することができる。【選択図】      図１
2004309814.tif 000002
【特許請求の範囲】
【請求項１】
ヘッドとカメラハウジングとが分離可能な雲台装置において、
ヘッド部とカメラハウジング部を連結するマウント部材に把手を設けたことを特徴とする雲台装置。
【請求項２】
前記把手は、マウント部材に一体に形成されていることを特徴とする請求項１記載の雲台装置。
【発明の詳細な説明】
【０００１】
【発明の属する技術分野】
本発明は、雲台装置の把手に関するものである。
【０００２】
【従来の技術】
図４及び５は従来の雲台カメラハウジング部の全体図及び把手部周辺の詳細断面図である。
【０００３】
図４において、１はカメラハウジング、２はサンバイザ、３はハウジング筐体、４は把手、５は補強部材、６はサンバイザ２とハウジング筐体３を繋ぐためのスペーサ、７はハウジング筐体３とスペーサ６を締結するビス、８はハウジング筐体３を介して把手４と補強部材５を締結するビス、９はハウジングマウントである。
【０００４】
【発明が解決しようとする課題】
従来のカメラハウジング１ではハウジング筐体３を板金で構成したため、把手４をそのほぼ中央部に配置する際、ハウジング筐体３はカメラハウジング１の自重を支え切れず、それを補強するための部材、即ち補強部材５が必要となり、構造が複雑化するだけでなく、余計なコストも掛かっていた。
【０００５】
本発明は上記問題に鑑みてなされたもので、その目的とする処は、より安価な把手構造を実現することを目的とする。
【０００６】
【課題を解決するための手段】
上記目的を達成するため、本発明は、ヘッドとカメラハウジングとが分離可能な雲台装置において、ヘッド部とカメラハウジング部を連結するマウント部材に把手を設けたことを特徴とする。
【０００７】
従って、本発明によれば、カメラハウジングの自重を支えることができる部材に把手を一体に形成したため、把手周りの構造を簡単にするだけではなく、補強部材の他に把手も不要となり、より安価な構造を実現することができる。
【０００８】
【発明の実施の形態】
以下に本発明の実施の形態を添付図面に基づいて説明する。
【０００９】
＜実施の形態１＞
図１は本発明の特徴を示す雲台カメラハウジング部の全体図であり、同図において、１１はカメラハウジング、１２はサンバイザ、１９はハウジングマウントである。このハウジングマウント１９は、材質・厚さ等カメラハウジング１１の自重を十分に支えることができる強度を有しており（剛体）、その一部には把手１９ａが一体に形成されている。
【００１０】
＜実施の形態２＞
図２はヘッド２２とカメラハウジング２１が分離できる雲台装置の全体図であり、同図において、２３はヘッドマウントである。図３はカメラハウジング２１を外して図２の矢印方向から見た図であり、同図に示すように、ヘッドマウント２３の一部には把手２３ａが一体に形成されている。
【００１１】
【発明の効果】
以上の説明で明らかなように、本発明によれば、把手をカメラハウジングの一部の高強度部材に一体に形成したため、補強部材を用いる必要がなくなった上、把手そのものも不要となり、より安価な構造が実現される。
【図面の簡単な説明】
【図１】本発明の特徴を示す雲台カメラハウジングの全体図である。
【図２】ヘッド〜ハウジング分離構造の全体図とヘッドマウントに把手を形成した実施形態を示す図である。
【図３】ヘッド〜ハウジング分離構造の全体図とヘッドマウントに把手を形成した実施形態を示す図である。
【図４】従来の雲台カメラハウジングの全体図及び把手周りの詳細断面図である。
【図５】従来の雲台カメラハウジングの全体図及び把手周りの詳細断面図である。
【符号の説明】
１，１１，２１          カメラハウジング
２，１２                      サンバイザ
３                                  ハウジング筐体
４，１９ａ，２３ａ    把手
５                                    補強部材
６                                    スペーサ
７                                    ビス（ハウジング筐体とスペーサを締結する）
８                                    ビス（把手と補強部材を締結する）
９，１９                        ハウジングマウント
２２                                ヘッド
２３                                ヘッドマウント
【図１】
2004309814.tif 000003
【図２】
2004309814.tif 000004
【図３】
2004309814.tif 000005
【図４】
2004309814.tif 000006
【図５】
2004309814.tif 000007
(57)【要約】【課題】前記インサートワークを保持孔に挿着する動作や、スライドコアをインサートワークに接近させる動作は、人間の手によって行われていた。よって、生産性が悪く、また、インサートワークを挿着するときやスライドコアを移動させるときには、下金型と上金型の間に手を挿入するため、非常に危険な作業となっていた。【解決手段】金型にワーク保持部を配置すると共に、そのワークに対して接近・離隔するスライドコアを配置した金型装置であって、前記スライドコアのワークに対する接近動作をロボットハンドによってなした金型装置におけるコア移動装置。【選択図】　図１
2004082447.tif 000002
【特許請求の範囲】
【請求項１】
金型にワーク保持部を配置すると共に、そのワークに対して接近・離隔するスライドコアを配置した金型装置であって、前記スライドコアのワークに対する接近動作をロボットハンドによってなしたことを特徴とする金型装置におけるコア移動装置。
【発明の詳細な説明】
【０００１】
【発明の属する技術分野】
本発明は、金型にワーク保持部を配置すると共に、そのワークに対して接近・離隔するスライドコアを配置した金型装置に関する。
【０００２】
【従来の技術】
１例を図４、図５に示し説明する。下金型１０１には、インサートワーク１０２を保持する保持孔１０３が形成されている。また、下金型１０１には、インサートワーク１０２に対して接近・離隔可能なスライドコア１０４が配置されている。
次に動作について説明する。先ず、下金型１０１の保持孔１０３にインサートワーク１０２を挿着する（図５参照）。次いで、スライドコア１０４を前記インサートワーク１０２に接近させる（図６参照）。そして、上金型を閉め射出成形を行う。
【０００３】
【発明が解決しようとする課題】
しかしながら、前記インサートワーク１０２を保持孔１０３に挿着する動作や、スライドコア１０４をインサートワーク１０２に接近させる動作は、人間の手によって行われていた。
よって、生産性が悪く、また、インサートワーク１０２を挿着するときやスライドコア１０４を移動させるときには、下金型と上金型の間に手を挿入するため、非常に危険な作業となっていた。
【０００４】
【課題を解決するための手段】
そこで、本発明は、金型にワーク保持部を配置すると共に、そのワークに対して接近・離隔するスライドコアを配置した金型装置であって、前記スライドコアのワークに対する接近動作をロボットハンドによってなしたことを要旨とする。
【０００５】
【実施例】
１例を図１〜図３に示し説明する。下金型１には、インサートワーク２を保持する保持孔３が形成されている。また、下金型１には、インサートワーク２に対して接近・離隔可能なスライドコア４が配置されている。以上の構成は、従来技術と同様である。
前記下金型１の上方近傍には、その下金型１に対して接近・離隔可能なロボットハンド５が配置されている。そのロボットハンド５は、フィンガープレート６に固定されたエアシリンダ７などの直線駆動装置とそのエアシリンダ７によって前進・後退するブロック部材８などから構成されている。そのブロック部材８が、前記スライドコア４をインサートワーク２に接近させる部材であって、Ｌ字型をなしている。符号１０は、ブロック部材８の移動を案内するガイドレール部９が取り付けられた案内プレートであり、前記フィンガープレート６に複数の支柱１１を介して強固に固定されている。
【０００６】
次に動作について説明する。図示せずのフィンガーによってインサートワーク２が下金型１の保持孔３に挿着される（図１参照）。次いで、前記ロボットハンド５がスライドコア４に下降・接近し、ブロック部材８がスライドコア４に接触する（図２参照）。ここで、前記エアシリンダ７が作動し、ブロック部材８が図中左方向に移動すると共に、スライドコア４がインサートワーク２に接近せしめられる（図３参照）。次いで、ロボットハンド５が上昇し、上金型が閉められ射出成形が行われる。射出成形が完了すると、上金型の上昇に連動して、前記スライドコア４がインサートワークから離隔する。
【０００７】
尚、本実施例においては、インサートワーク２の保持孔３への挿着不具合を検知するセンサーが設けられており、挿着不具合が発生すると、そのインサートワークを排出し、新たなインサートワークが挿着される。しかし、新たなインサートワークを挿着し直すのは、３回と設定されているが、この回数は適宜である。インサートワークに原因があるのではなく、他の原因による不具合と認識しロボットハンドが停止するようになっている。
また、本実施例においては、インサートワークを下金型に供給するフィンガーを、前記ロボットハンド５に設けているが、別々に構成し配置しても良い。
【０００８】
【発明の効果】
本発明は、金型にワーク保持部を配置すると共に、そのワークに対して接近・離隔するスライドコアを配置した金型装置であって、前記スライドコアのワークに対する接近動作をロボットハンドによってなしたので、安全かつ、生産性の向上が図れる。
【図面の簡単な説明】
【図１】本発明を示す側面外観図。
【図２】動作を示す側面図。
【図３】動作を示す側面図。
【図４】従来の技術を示す側面図。
【図５】従来の動作を示す側面図。
【符号の説明】
１　　　　下金型
２　　　　インサートワーク
３　　　　保持孔
４　　　　スライドコア
５　　　　ロボットハンド
６　　　　フィンガープレート
７　　　　エアシリンダ
８　　　　ブロック部材
９　　　　ガイドレール
１０　　　案内プレート
１１　　　支柱
【図１】
2004082447.tif 000003
【図２】
2004082447.tif 000004
【図３】
2004082447.tif 000005
【図４】
2004082447.tif 000006
【図５】
2004082447.tif 000007
(57)【要約】【課題】銅又は銅合金の有する重厚で豪華な雰囲気を醸し出しながら、軽量化及び生産コストの低下を果たすことのできる装飾パネルを提供すること。【解決手段】接着層（２）で覆われたアルミ基板（１）の表面に、着色した銅又は銅合金からなる無数の切粉（３）を付着し、無数の切粉（３）の上には透明なコーティング膜（４）を被せてあることを特徴とする装飾パネル。【選択図】　　　図１
2004082465.tif 000002
【特許請求の範囲】
【請求項１】
接着層（２）で覆われたアルミ基板（１）の表面に、着色した銅又は銅合金からなる無数の切粉（３）を付着し、無数の切粉（３）の上には透明なコーティング膜（４）を被せてあることを特徴とする装飾パネル。
【請求項２】
切粉（３，３）同士の間に隙間（５）を有し、コーティング膜（４）を通して隙間（５）から接着層（２）が見えることを特徴とする請求項１記載の装飾パネル。
【請求項３】
複数色の銅又は銅合金の切粉（３）を用いることを特徴とする請求項１又は２記載の装飾パネル。
【発明の詳細な説明】
【０００１】
【発明の属する技術分野】
本発明は、例えば壁面に取り付ける装飾パネルに関する。
【０００２】
【従来の技術】
装飾パネルには、銅又は銅合金の板の表面に様々な色の塗装を施したものがある。ところが、塗装した板の表面は、平滑となり、銅又は銅合金であることが外観からは感じられない。そこで、本発明者は、銅又は銅合金の有する重厚で豪華な雰囲気を外観から感じ取れる製品の開発に着手した。
【０００３】
上述した雰囲気を出すには、鋳物にすることが考えられる。鋳物であれば、鋳肌といわれる微妙な凹凸が表面に付き、しかも、その後、化学的に処理すれば着色することも可能となり、着色された銅又は銅合金が表面に露出して、所望の雰囲気が得られる。しかしながら、鋳物は、板の肉厚が厚くなるので、重量が重くなり、運送や取付などの取り扱いに不向きである。また、鋳物を作るには、鋳型の作製費もかかることから、生産コストが嵩むことになった。
【０００４】
【発明が解決しようとする課題】
本発明は上記実情を考慮して開発されたもので、その目的は、銅又は銅合金の有する雰囲気を出しながら、軽量化及び生産コストの低下を果たすことのできる装飾パネルを提供することである。
【０００５】
【課題を解決するための手段】
請求項１の発明は、接着層で覆われたアルミ基板の表面に、着色した銅又は銅合金からなる無数の切粉を付着し、無数の切粉の上には透明なコーティング膜を被せてあることを特徴とする。
【０００６】
接着層に切粉を付着しただけでは切粉が剥がれ落ちる可能性があるが、コーティング膜によって切粉がアルミ基板と確実に一体化し、剥がれ落ちない。
【０００７】
また、接着層の表面全域に切粉を隙間なく付着しても良いが、接着層が下地として見える隙間を表面の所々にあけても良い。即ち、請求項２の発明のように、切粉同士の間に隙間を有し、コーティング膜を通して隙間から接着層が見えるものでも良い。このようにすれば、接着層に着色してある場合には、接着層の色合いが切粉同士の隙間から見え、接着層が透明である場合にはアルミ基板の色が見える。従って、切粉による突出した箇所の色と、接着層の凹んだ箇所の色や、アルミ基板の色が見えることになる。
【０００８】
銅又は銅合金の色は単一色であっても良いが、請求項３の発明のように、複数色の銅又は銅合金の切粉を用いても良い。
【０００９】
複数色とは、二色以上の多色を意味する。また、複数色とは、明らかに違う色（例えば赤色と青色）だけではなく、同色系の微妙な濃淡をも含む概念である。
【００１０】
【発明の実施の形態】
本発明の装飾パネルは図１及び図２に示すように、平らなアルミ基板１の表面全域に接着剤を塗布または塗装して接着層２を形成し、着色した銅又は銅合金からなる無数の切粉３が入ったふるいを接着層２の上方で揺り動かして、接着層２で覆われたアルミ基板１の表面全域に切粉３を巻いて付着させる。切粉３を巻く際には、接着層２が僅かに見える程度に粗く巻く。そうすると、切粉３によって接着層２の表面全域の大部分が覆われれるが、接着層２の残った部分が切粉同士の間の隙間５から見える状態となる。さらに、切粉３が巻かれたアルミ基板１の上から塗布又は塗装を施して透明なコーティング膜４を形成する。コーティング膜４の厚みは、切粉３の凹凸感が手触りで把握できる程度に薄く形成する。
【００１１】
切粉３は、切削加工で削り取ったくずであるので、微妙に縮こまった形態となる。また、無数の切粉３は形態が不揃いであり、それぞれ凹凸感が微妙に異なる感じとなる。
【００１２】
着色は、化学的に処理する仕方を用い、その化学的処理によって銅又は銅合金の表面に化合物の被膜を作り、これによって防錆の効果と色沢の美を与える。化学的処理とは、例えば着色液に浸漬したり、高温加熱後に急冷したりすることを意味する。
【００１３】
具体的な着色例を挙げれば、銅を黄褐色に着色するには、銅製容器内に、硫酸銅８ｇ、緑青１０ｇ、水１０００ｇを入れてこれら成分を沸騰溶解し、この液中で切粉を煮沸し、所望の色合いとなった後に液中から切粉を引き上げ、良く水洗いしてから、熱湯に浸すか又は火熱して乾かす。
【００１４】
また、真鍮を青黒色に着色するには、鉄製容器内に、次亜硫酸ソーダ１２０ｇ、緑青１２ｇ、水１０００ｇを入れてこれら成分を沸騰溶解し、この液中で煮沸するか、煮沸した液を注ぎ掛ける。
【００１５】
【発明の効果】
本発明は、アルミ基板に銅又は銅合金の切粉を付着してあるので、表面が切粉によって微妙に凸凹した鋳肌感覚となり、しかも、透明なコーティング膜を通して切粉自体が見えるので、切粉の材料である銅又は銅合金の重厚で豪華な感じが伝わる。さらに、アルミ基板の軽量さによって、銅又は銅合金の鋳物によるパネルよりも軽量化が図られ取り扱いが容易となり、鋳型を作る必要もないことから生産コストが安くなる。
【００１６】
また、コーテイング膜を通して接着層が見える隙間を切粉同士の間に有すれば、切粉の色だけでなく、着色してある場合の接着層の色や、接着層が着色してない場合のアルミ基板の色が楽しめる。
【００１７】
さらに、複数色の切粉を用いれば、複雑な色合いとなり、単なる鋳物以上の豪華さを表現できる。
【図面の簡単な説明】
【図１】本発明の装飾パネルを示す斜視図で、右端部分を切り欠いて接着層を露出してある。
【図２】装飾パネルの拡大縦断面図である。
【符号の説明】
１　アルミ基板
２　接着層
３　切粉
４　コーティング膜
【図１】
2004082465.tif 000003
【図２】
2004082465.tif 000004